(57)【要約】【課題】この発明は、特定サイトから他のサイトに遷移した状態で、ユーザに対して情報入力が要求された場合に、ユーザにサイトが遷移したことを警告することにより、ユーザ情報の流出を防止し得るようにしたコンテンツ再生装置及びコンテンツ再生方法を提供することを目的としている。【解決手段】ネットワーク（３２）を介してアクセスした特定サイト（３４）から所望のコンテンツを取得し再生するコンテンツ再生装置である。そして、アクセスしているサイトから情報入力が要求されたとき、そのサイトが少なくとも特定サイト（３４）に含まれるサイトであるか否かを判別する判別手段（６３）と、判別手段（６３）で特定サイトに含まれないと判断されたとき、その旨を示す警告（７５ａ）を発生する制御手段（６３）とを備える。【選択図】    図２
2010250687.tif 000002
【特許請求の範囲】
【請求項１】
ネットワークを介してアクセスした特定サイトから所望のコンテンツを取得し再生するコンテンツ再生装置であって、
アクセスしているサイトから情報入力が要求されたとき、そのサイトが少なくとも前記特定サイトに含まれるサイトであるか否かを判別する判別手段と、
前記判別手段で前記特定サイトに含まれないと判断されたとき、その旨を示す警告を発生する制御手段とを具備することを特徴とするコンテンツ再生装置。
【請求項２】
前記判別手段は、アクセスしているサイトに付された識別情報と前記特定サイトに付された識別情報とを比較して、アクセスしているサイトが少なくとも前記特定サイトに含まれるサイトであるか否かを判別することを特徴とする請求項１記載のコンテンツ再生装置。
【請求項３】
前記判別手段は、アクセスしているサイトのＵＲＬに含まれるドメイン名と前記特定サイトのＵＲＬに含まれるドメイン名とを比較して、現在アクセスしているサイトが少なくとも前記特定サイトに含まれるサイトであるか否かを判別することを特徴とする請求項１記載のコンテンツ再生装置。
【請求項４】
前記制御手段は、前記判別手段により、アクセスしているサイトが少なくとも前記特定サイトに含まれないと判断されたとき、その旨を示す警告を映像表示及び音声出力の少なくとも一方で発生することを特徴とする請求項１記載のコンテンツ再生装置。
【請求項５】
前記制御手段は、前記判別手段により、アクセスしているサイトが少なくとも前記特定サイトに含まれないと判断されたとき、その旨を示すメッセージと情報入力をしない旨を示すメッセージとを共に映像表示する警告を発生することを特徴とする請求項１記載のコンテンツ再生装置。
【請求項６】
前記制御手段は、前記判別手段により、アクセスしているサイトが少なくとも前記特定サイトに含まれないと判断されたとき、その旨を示すメッセージを、アクセスしているサイトによって要求された文字入力画面に付加して映像表示する警告を発生することを特徴とする請求項１記載のコンテンツ再生装置。
【請求項７】
前記制御手段は、情報入力が要求されても警告を発生しないサイトを予め登録しておく登録手段を備えることを特徴とする請求項１記載のコンテンツ再生装置。
【請求項８】
前記制御手段は、前記ネットワークを介して予め取得したリストに掲載されているサイトから要求された情報入力を強制的に禁止する禁止手段を備えることを特徴とする請求項１記載のコンテンツ再生装置。
【請求項９】
サイト選択画面を表示させるように制御するサイト選択画面表示制御手段を備え、
前記特定サイトは、前記サイト選択画面にて選択されたサイトであることを特徴とする請求項１記載のコンテンツ再生装置。
【請求項１０】
ネットワークを介してアクセスした特定サイトから所望のコンテンツを取得し再生するコンテンツ再生方法であって、
アクセスしているサイトから情報入力が要求されたとき、そのサイトが少なくとも前記特定サイトに含まれるサイトであるか否かを判別する工程と、
前記特定サイトに含まれないと判断されたとき、その旨を示す警告を発生する工程とを有することを特徴とするコンテンツ再生方法。
【発明の詳細な説明】
【技術分野】
【０００１】
この発明は、例えばインターネット等のネットワークを介して特定のサイトにアクセスすることにより、所望のコンテンツを取得して再生することが可能なコンテンツ再生装置及びコンテンツ再生方法の改良に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
また、現在では、映像や音声等を含むコンテンツを、インターネットを通じて配信する技術も実用化されている。特に、ユーザが特定サイトに対して所望のコンテンツを要求することにより、その要求されたコンテンツを特定サイトがユーザに個別に提供する、いわゆるＶＯＤ（video on demand）サービスが普及している。
【０００４】
このため、上記したデジタルテレビジョン放送を受信するデジタル放送受信装置においても、ＶＯＤサービスに対応する機能、つまり、ネットワーク経由で特定サイトにアクセスして所望のコンテンツを要求するとともに、その特定サイトから送信されたコンテンツを受信して再生する機能が搭載される傾向にある。
【０００５】
ところで、このようなネットワーク経由でコンテンツを受信することができるデジタル放送受信装置にあっては、ネットワークを介して特定サイトにアクセスした際に、その特定サイトが提供しているサービス以外の他のサービスも閲覧することができ、そのサービスによるコンテンツを取得することも可能になっている。
【０００６】
しかしながら、特定サイトが提供しているサービス以外のサービスを閲覧し、さらに、そのサービスの中でリンクされている他のサービスを閲覧するような操作を繰り返した場合、ユーザは、自己の知らないうちに最初にアクセスした特定サイト以外の他のサイトに遷移し、そこのサービスを閲覧していることがある。
【０００７】
このような場合、ユーザが、例えば閲覧したいサービスにログインするために、自己のユーザＩＤ（identification）やパスワード等を入力することがあると、ユーザの個人情報が外部に流出する可能性が生じる。特に、悪質なサイトに遷移した場合には、ユーザにとって大きな問題となる。
【０００８】
特許文献１には、ＶＯＤの映像コンテンツを、ランキング、新着、視聴履歴等の所定の規則に基づいて並べ替えた映像コンテンツリストを作成し、リモコンのチャンネル上下ボタン操作により映像コンテンツリストの複数の映像コンテンツを順次受信し、再生するようにした技術が開示されている。
【０００９】
また、特許文献２には、現在アクセスしているサイトの所有者（企業）の情報を常に表示し、ユーザが自分の意図したサイトにアクセスしているかどうかを常に確認できるようにすることで、フィッシング詐欺の被害にあう危険を低下させるようにしたアクセス防止の技術が開示されている。
【先行技術文献】
【特許文献】
【００１０】
【特許文献１】特開２００８−１９３２８４号公報
【特許文献２】特開２００６−１０６９２８号公報
【発明の概要】
【発明が解決しようとする課題】
【００１１】
そこで、この発明は上記事情を考慮してなされたもので、特定サイトから他のサイトに遷移した状態で、ユーザに対して情報入力が要求された場合に、ユーザにサイトが遷移したことを警告することにより、ユーザ情報の流出を防止し得るようにしたコンテンツ再生装置及びコンテンツ再生方法を提供することを目的とする。
【課題を解決するための手段】
【００１２】
この発明に係るコンテンツ再生装置は、ネットワークを介してアクセスした特定サイトから所望のコンテンツを取得し再生するものを対象としている。そして、アクセスしているサイトから情報入力が要求されたとき、そのサイトが少なくとも特定サイトに含まれるサイトであるか否かを判別する判別手段と、判別手段で特定サイトに含まれないと判断されたとき、その旨を示す警告を発生する制御手段とを備えるようにしたものである。
【００１３】
また、この発明に係るコンテンツ再生方法は、ネットワークを介してアクセスした特定サイトから所望のコンテンツを取得し再生する方法を対象としている。そして、アクセスしているサイトから情報入力が要求されたとき、そのサイトが少なくとも特定サイトに含まれるサイトであるか否かを判別する工程と、特定サイトに含まれないと判断されたとき、その旨を示す警告を発生する工程とを有するようにしたものである。
【発明の効果】
【００１４】
上記した発明によれば、アクセスしているサイトから情報入力が要求されたとき、そのサイトが少なくとも特定サイトに含まれるサイトであるか否かを判別し、含まれないと判断されたとき、その旨を示す警告を発生させるようにしている。このため、ユーザ情報の流出を防止することができるようになる。
【図面の簡単な説明】
【００１５】
【図１】この発明の実施の形態を示すもので、デジタルテレビジョン放送受信装置とそれを中心として構成されるネットワークシステムの一例を説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で実行される主要な処理動作を説明するために示すフローチャート。
【図５】同実施の形態におけるデジタルテレビジョン放送受信装置で表示されるサイト選択画面の一例を説明するために示す図。
【図６】同実施の形態におけるデジタルテレビジョン放送受信装置で表示されるサービス選択画面の一例を説明するために示す図。
【図７】同実施の形態におけるデジタルテレビジョン放送受信装置で表示される文字入力画面の一例を説明するために示す図。
【図８】同実施の形態におけるデジタルテレビジョン放送受信装置で表示される文字入力画面の他の例を説明するために示す図。
【図９】同実施の形態におけるデジタルテレビジョン放送受信装置で表示されるサイト登録画面の一例を説明するために示す図。
【図１０】同実施の形態におけるデジタルテレビジョン放送受信装置で表示される警告切替画面の一例を説明するために示す図。
【発明を実施するための最良の形態】
【００１６】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１７】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、一対のスピーカ１５、操作部１６、リモートコントローラ１７から送信される操作情報を受ける受光部１８等が設置されている。
【００１８】
また、このデジタルテレビジョン放送受信装置１１は、第１のＬＡＮ（local area network）端子２１、第２のＬＡＮ端子２２及びＵＳＢ（universal serial bus）端子２３を備えている。
【００１９】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２１】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続可能であり、そのネットワーク３２を介して遠隔地にあるＰＣ３３やコンテンツ提供サービスを行なう情報提供業者のサイト３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２７】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２８】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２９】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３０】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３１】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３２】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３３】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３４】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３５】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３６】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３７】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３８】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３９】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。この場合、制御部６３は、ユーザの操作に基づいて、ネットワーク３２経由で任意のサーバが運営する特定のサイト３４にアクセスし、所望のサービスの閲覧やコンテンツの取得を行なうように機能する。
【００４０】
このとき、上記制御部６３は、特定サイト３４から送信されたコンテンツを受信して、映像表示部１４での映像表示やスピーカ１５での音声再生に供させたり、例えばＨＤＤ２５，２７，３９等の記録再生機器への記録に供させたりするように機能している。
【００４１】
すなわち、デジタルテレビジョン放送受信装置１１は、サイト３４から取得したコンテンツに対して、映像表示部１４で映像表示するように処理すること、サイト３４から取得したコンテンツをスピーカ１５で音声出力するように処理することの少なくとも一方を行なう再生機能を有している。
【００４２】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４３】
また、上記制御部６３は、ブラウザ部６３ｅを備えている。このブラウザ部６３ｅは、前述したように、ネットワーク３２経由で任意のサーバが運営する特定のサイト３４にアクセスし、アクセスしているサイト３４上で公開されているサービスを閲覧したり、サイト３４から所望のコンテンツを取得したりする機能を行なっている。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ及びメニューキー１７ｐ等が設けられている。
【００４５】
図４は、上記デジタルテレビジョン放送受信装置１１における主要な処理動作をまとめたフローチャートを示している。この処理は、ユーザが、リモートコントローラ１７のメニューキー１７ｐを操作して、階層構造となされたメニュー画面に分け入ることにより、図５に示すようなサイト選択画面７２を映像表示器１４に表示させることによって開始（ステップＳ１）される。
【００４６】
このサイト選択画面７２には、上記ブラウザ部６３ｅによってアクセス可能な複数のサイト名（情報提供業者名）「ＡＡＡ」、「ＢＢＢ」、「ＣＣＣ」、……等が表示されている。そして、ユーザは、ステップＳ２で、サイト選択画面７２上からアクセスすべき特定のサイト３４を選定する。
【００４７】
この特定サイト３４の選定は、ユーザが、サイト選択画面７２上において、リモートコントローラ１７の上または下方向のカーソルキー１７ｆを操作していずれかのサイト名を選択した後、リモートコントローラ１７の決定キー１７ｇを操作して決定することにより実行される。なお、特定サイト３４の選定は、ユーザがＵＲＬアドレスを直接入力する手段を設けることによっても可能であるが、このようなサイト選択画面７２によるサイトの選択がユーザにとってより便利である。
【００４８】
このようにして特定サイト（例えばＡＡＡ）３４が決定されると、制御部６３は、ステップＳ３で、その特定サイト（ＡＡＡ）３４にアクセスし、当該特定サイト（ＡＡＡ）３４のポータルページとなる、図６に示すようなサービス選択画面７３を映像表示器１４に表示させる。
【００４９】
このサービス選択画面７３には、上記特定サイト（ＡＡＡ）３４によって閲覧可能な複数のサービス名「ニュース」、「スポーツ」、「天気」、「料理」、「テレビ」、「占い」、「旅行」……等が表示されている。そして、ユーザは、ステップＳ４で、サービス選択画面７３上から閲覧を希望するサービスを選定する。
【００５０】
このサービスの選定も、ユーザが、サービス選択画面７３上において、リモートコントローラ１７の右、左、上または下方向のカーソルキー１７ｆを操作していずれかのサービス名を選択した後、リモートコントローラ１７の決定キー１７ｇを操作して決定することにより実行される。
【００５１】
このようにして閲覧するサービスが決定され、以後、ユーザが、そのサービスの閲覧中に、当該サービスの中でリンクされている他のサービスを閲覧し、さらに、そのサービスの中でリンクされている他のサービスを閲覧するといった操作を繰り返し行なった場合を考える。
【００５２】
この場合、ユーザは、自己の知らないうちに最初にアクセスした特定サイト３４以外の他のサイトに遷移し、そこのサービスを閲覧していることがある。このような場合、ユーザが、例えば閲覧したいサービスにログインするために、不用意に自己のユーザＩＤやパスワード等を入力してしまうと、ユーザの個人情報が外部に流出する可能性が生じる。
【００５３】
特に、ユーザが最初に選定した特定サイト３４、つまり、悪意のないサイトになりすまして、ユーザに個人情報を入力するように巧みに誘導するような悪質なサイトも存在することから、ユーザが自己の情報を入力することを要求された場合には、十分な注意が必要となる。
【００５４】
そこで、この実施の形態では、上記のようにユーザがサービスを閲覧している間、制御部６３が、ステップＳ５に示すように、サイト側からユーザに対して文字入力が要求されたか否かを判別している。この場合、入力を要求される文字情報としては、例えばユーザＩＤやパスワード等のユーザの個人情報に関するものが含まれている。
【００５５】
そして、文字入力が要求されたと判断された場合（ＹＥＳ）、制御部６３は、ステップＳ６で、現在アクセスしているサイトが、少なくともユーザがサイト選択画面７２上で選定した特定サイト（ＡＡＡ）３４に含まれるサイトであるか否かを判別する。この判別は、現在アクセスしているサイトを識別するための識別情報［例えばそのサイトのＵＲＬ（uniform resource locator）に含まれるドメイン名等］が、ユーザがサイト選択画面７２上で選定した特定サイト（ＡＡＡ）３４の識別情報に含まれているか否かを判別することにより行なわれる。
【００５６】
ここで、現在アクセスしているサイトが特定サイト（ＡＡＡ）３４に含まれていると判断された場合（ＹＥＳ）、制御部６３は、ステップＳ７で、図７に示すように、現在アクセスしているサイトが要求する通常の文字入力画面７４を映像表示器１４に表示させ、処理を終了（ステップＳ９）する。
【００５７】
この文字入力画面７４においては、リモートコントローラ１７の地上波放送チャンネルのダイレクト選局キー１７ｄを用いて、かな漢字文字、英数字等を文字表示領域７４ａに入力することができるようになっている。
【００５８】
また、上記ステップＳ６で現在アクセスしているサイトが特定サイト（ＡＡＡ）３４に含まれていないと判断された場合（ＮＯ）、制御部６３は、ステップＳ８で、図８に示すように、現在アクセスしているサイトが要求する文字入力画面７５に警告メッセージ７５ａを付加して映像表示器１４に表示させた後、処理を終了（ステップＳ９）する。
【００５９】
この場合、文字入力画面７５に付加する警告メッセージ７５ａとしては、例えば「このページは、特定サイト（ＡＡＡ）ではありません。特定サイト（ＡＡＡ）のパスワードやＩＤを入力しないでください。」等のように、ユーザに対して文字情報、特に個人情報の入力を抑制させるような内容となっている。
【００６０】
上記した実施の形態では、サイトのサービスを閲覧中に文字入力が要求されたとき、現在アクセスしているサイトが、少なくともユーザの選択したサイトに含まれるサイトであるか否かを判別し、ユーザの選択したサイトに含まれるサイトでない場合に、その旨を示し、かつ、文字入力を抑制させる内容の警告メッセージ７５ａを文字入力画面７５に表示させるようにしている。
【００６１】
このため、ユーザは、自己の知らないうちに選択していないサイトに遷移してしまっていた場合に、その旨を知ることができるとともに、遷移先のサイトに対して自己の個人情報を入力してしまうことを留まることができ、不用意に個人情報が流出することを防止することができる。
【００６２】
特に、この警告メッセージ７５ａは、遷移先のサイトが安心できる優良な大手サイトであった場合には、サイトが変わってしまったことをユーザに伝えて注意喚起を促すものとして機能し、遷移先のサイトが悪質なサイトであった場合には、ユーザの個人情報の盗難を防止する警告として機能するので、いずれの場合でも効果的である。
【００６３】
なお、上記特定サイト３４は、ユーザが映像表示器１４に表示させたサイト選択画面７２にて最初に選定したサイトであることが望ましい。
【００６４】
また、上記した実施の形態では、現在アクセスしているサイトが特定サイト（ＡＡＡ）３４に含まれていないサイトに遷移している場合に、文字入力画面７５に警告メッセージ７５ａを表示させるようにしたが、これに限らず、サイトが遷移している旨を、専用アイコンによって表示させたり、警告音や音声メッセージ等によってユーザに知らせたりするようにしても良いものである。
【００６５】
さらに、ユーザが予め所定のサイトを登録しておき、その登録されたサイトに遷移した場合には、情報入力が要求されても警告を発生しないようにすることも可能である。このサイト登録は、ユーザが、リモートコントローラ１７のメニューキー１７ｐを操作して、階層構造となされたメニュー画面に分け入ることにより、図９に示すようなサイト登録画面７６を映像表示器１４に表示させる。
【００６６】
そして、このサイト登録画面７６において、ユーザが、リモートコントローラ１７の地上波放送チャンネルのダイレクト選局キー１７ｄによる英数字入力機能を用いて、サイト入力領域７６ａに登録を希望するサイトのドメイン名等を入力し、決定キーを操作することにより登録を行なうことができる。
【００６７】
また、現在アクセスしているサイトが特定サイト（ＡＡＡ）３４に含まれていないサイトに遷移した場合に、警告を発生させるか否かをユーザが選択的に切り替えるようにすることもできる。この切り替えは、ユーザが、リモートコントローラ１７のメニューキー１７ｐを操作して、階層構造となされたメニュー画面に分け入ることにより、図１０に示すような警告切替画面７７を映像表示器１４に表示させる。
【００６８】
この警告切替画面７７においては、「警告を発生しますか？」の問いとともに、「ＹＥＳ」及び「ＮＯ」の項目がユーザに表示される。このため、ユーザは、リモートコントローラ１７の右または左方向のカーソルキー１７ｆを操作して、「ＹＥＳ」または「ＮＯ」のいずれかの項目を選択し、リモートコントローラ１７の決定キー１７ｇを操作して決定することにより、切り替えが行なわれる。
【００６９】
また、ユーザは、予め悪質サイトや有害サイトに対するリストを、所定の優良サイトやその他の善意あるサイト等から取得することができる。このようなリストが取得された場合、デジタルテレビジョン放送受信装置１１の制御部６３は、そのリストに掲載されているサイトに遷移した場合に、当該サイトが要求する文字入力画面を非表示にさせて、文字入力を強制的に禁止させるようにすることができる。または、文字入力画面を一旦表示させた後、自動的に非表示にさせて文字入力を強制的に禁止させることができる。このようにした場合、例えば「悪質サイトにアクセスしましたので文字入力を禁止しました」のようなメッセージを、映像表示器１４に表示させると、ユーザにとって便利である。
【００７０】
また、上記した実施の形態では、デジタルテレビジョン放送受信装置１１を例に説明したが、これに限らず、例えばＳＴＢ（set top box）や携帯電話等にも、この発明は広く適用することができるものである。
【００７１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７２】
１１…デジタルテレビジョン放送受信装置、１２…キャビネット、１３…支持台、１４…映像表示器、１５…スピーカ、１６…操作部、１７…リモートコントローラ、１８…受光部、２１…第１のＬＡＮ端子、２２…第２のＬＡＮ端子、２３…ＵＳＢ端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…サイト、３５…ハブ、３６…携帯電話、３７…デジタルカメラ、３８…カードリーダ／ライタ、３９…ＨＤＤ、４０…キーボード、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…ブラウザ部、６８…通信Ｉ／Ｆ、６９…通信Ｉ／Ｆ、７０…ＵＳＢ Ｉ／Ｆ、７２…サイト選択画面、７３…サービス選択画面、７４…文字入力画面、７４ａ…文字表示領域、７５…文字入力画面、７５ａ…警告メッセージ、７６…サイト登録画面、７６ａ…サイト入力領域、７７…警告切替画面。
【図１】
2010250687.tif 000003
【図２】
2010250687.tif 000004
【図３】
2010250687.tif 000005
【図４】
2010250687.tif 000006
【図５】
2010250687.tif 000007
【図６】
2010250687.tif 000008
【図７】
2010250687.tif 000009
【図８】
2010250687.tif 000010
【図９】
2010250687.tif 000011
【図１０】
2010250687.tif 000012
【手続補正書】
【提出日】平成22年7月9日(2010.7.9)
【手続補正１】
【補正対象書類名】明細書
【補正対象項目名】００１２
【補正方法】変更
【補正の内容】
【００１２】
この発明に係るコンテンツ再生装置は、ネットワークを介してアクセスした特定サイトから所望のコンテンツを取得し再生するものを対象としている。そして、アクセスしているサイトから情報入力を要求する画面が表示されるとき、そのサイトが少なくとも特定サイトに含まれるサイトであるか否かを判別する判別手段と、判別手段で特定サイトに含まれないと判断されたとき警告を発生する制御手段とを備えるようにしたものである。
【手続補正２】
【補正対象書類名】明細書
【補正対象項目名】００１３
【補正方法】変更
【補正の内容】
【００１３】
また、この発明に係るコンテンツ再生方法は、コンテンツ再生装置によりネットワークを介して特定サイトにアクセスし、その特定サイトから所望のコンテンツを取得し再生する方法を対象としている。そして、アクセスしているサイトから情報入力を要求する画面が表示されるとき、コンテンツ再生装置が備える判別手段により、そのサイトが少なくとも特定サイトに含まれるサイトであるか否かを判別する工程と、特定サイトに含まれないと判断されたとき、コンテンツ再生装置が備える制御手段により警告を発生する工程とを有するようにしたものである。
【手続補正３】
【補正対象書類名】明細書
【補正対象項目名】００１４
【補正方法】変更
【補正の内容】
【００１４】
上記した発明によれば、アクセスしているサイトから情報入力を要求する画面が表示されるとき、そのサイトが少なくとも特定サイトに含まれるサイトであるか否かを判別し、含まれないと判断されたとき警告を発生させるようにしている。このため、ユーザ情報の流出を防止することができるようになる。
【手続補正４】
【補正対象書類名】特許請求の範囲
【補正対象項目名】全文
【補正方法】変更
【補正の内容】
【特許請求の範囲】
【請求項１】
ネットワークを介してアクセスした特定サイトから所望のコンテンツを取得し再生するコンテンツ再生装置であって、
アクセスしているサイトから情報入力を要求する画面が表示されるとき、そのサイトが少なくとも前記特定サイトに含まれるサイトであるか否かを判別する判別手段と、
前記判別手段で前記特定サイトに含まれないと判断されたとき警告を発生する制御手段とを具備することを特徴とするコンテンツ再生装置。
【請求項２】
前記判別手段は、アクセスしているサイトに付された識別情報と前記特定サイトに付された識別情報とを比較して、アクセスしているサイトが少なくとも前記特定サイトに含まれるサイトであるか否かを判別することを特徴とする請求項１記載のコンテンツ再生装置。
【請求項３】
前記判別手段は、アクセスしているサイトのＵＲＬに含まれるドメイン名と前記特定サイトのＵＲＬに含まれるドメイン名とを比較して、現在アクセスしているサイトが少なくとも前記特定サイトに含まれるサイトであるか否かを判別することを特徴とする請求項１記載のコンテンツ再生装置。
【請求項４】
前記制御手段は、前記判別手段により、アクセスしているサイトが少なくとも前記特定サイトに含まれないと判断されたとき、その旨を示す警告を映像表示及び音声出力の少なくとも一方で発生することを特徴とする請求項１記載のコンテンツ再生装置。
【請求項５】
前記制御手段は、前記判別手段により、アクセスしているサイトが少なくとも前記特定サイトに含まれないと判断されたとき、情報入力を抑制させる内容の警告を映像表示及び音声出力の少なくとも一方で発生することを特徴とする請求項１記載のコンテンツ再生装置。
【請求項６】
前記制御手段は、前記判別手段により、アクセスしているサイトが少なくとも前記特定サイトに含まれないと判断されたとき、前記特定サイトに関する個人情報の入力を抑制させる内容の警告を映像表示及び音声出力の少なくとも一方で発生することを特徴とする請求項１記載のコンテンツ再生装置。
【請求項７】
前記制御手段は、前記判別手段により、アクセスしているサイトが少なくとも前記特定サイトに含まれないと判断されたとき、その旨を示すメッセージを、アクセスしているサイトによって要求された文字入力画面に付加して映像表示する警告を発生することを特徴とする請求項１記載のコンテンツ再生装置。
【請求項８】
前記制御手段は、情報入力が要求されても警告を発生しないサイトを予め登録しておく登録手段を備えることを特徴とする請求項１記載のコンテンツ再生装置。
【請求項９】
前記制御手段は、前記ネットワークを介して予め取得したリストに掲載されているサイトから要求された情報入力を強制的に禁止する禁止手段を備えることを特徴とする請求項１記載のコンテンツ再生装置。
【請求項１０】
サイト選択画面を表示させるように制御するサイト選択画面表示制御手段を備え、
前記特定サイトは、前記サイト選択画面にて選択されたサイトであることを特徴とする請求項１記載のコンテンツ再生装置。
【請求項１１】
ネットワークを介してアクセスした特定サイトから所望のコンテンツを取得し再生するコンテンツ再生装置であって、
アクセスしているサイトにて情報入力する画面が表示されるとき、そのサイトが少なくとも前記特定サイトに含まれるサイトであるか否かを判別する判別手段と、
前記判別手段で前記特定サイトに含まれないと判断されたとき、情報入力を抑制させる内容の警告を発生する制御手段とを具備することを特徴とするコンテンツ再生装置。
【請求項１２】
コンテンツ再生装置によりネットワークを介して特定サイトにアクセスし、その特定サイトから所望のコンテンツを取得し再生するコンテンツ再生方法であって、
アクセスしているサイトから情報入力を要求する画面が表示されるとき、前記コンテンツ再生装置が備える判別手段により、そのサイトが少なくとも前記特定サイトに含まれるサイトであるか否かを判別する工程と、
前記特定サイトに含まれないと判断されたとき、前記コンテンツ再生装置が備える制御手段により警告を発生する工程とを有することを特徴とするコンテンツ再生方法。